(57)【特許請求の範囲】
【請求項１】
遊技盤を着脱可能な前面枠と、該前面枠の前面の一側に開閉可能な状態で軸着され、遊技盤の前面を被覆する透明部材が保持された前面カバー部材と、該前面カバー部材を閉状態でロック可能なロック機構と、を備えた遊技機において、
前記ロック機構は、
前記前面カバー部材に固定された係止片と、
前記前面枠のうち遊技盤の下方の位置に揺動可能な状態で軸着され、前記係止片が係止可能な係止受部と、を備え、
該係止受部は、前記係止片との係止状態を維持可能なロック姿勢と、前記前面枠に配設された解除操作部の操作により係止片との係止状態を解除するロック解除姿勢とに変換可能であり、
前記解除操作部よりも前記前面枠の中央側に配設されるとともに、前記前面枠の前面側に設けた受部カバー部により前面を被覆され、
該受部カバー部の上壁部は、前面枠の前方へ向けて下り傾斜したことを特徴とする遊技機。
【請求項２】
前記遊技盤へ向けて遊技球を発射可能な発射装置を、前記解除操作部の下方に備え、
前記解除操作部を解除操作ベースに装着し、該解除操作ベースには不正侵入阻止壁を設けたことを特徴とする請求項１に記載の遊技機。
【発明の詳細な説明】
【技術分野】
【０００１】
本発明は、遊技盤を着脱可能な前面枠と、該前面枠の前面の一側に開閉可能に軸着され、遊技盤の前面を覆う透明部材が保持された前面カバー部材と、該前面カバー部材を閉状態でロック可能なロック機構と、を備えたパチンコ遊技機等の遊技機に関する。
【背景技術】
【０００２】
従来の遊技機、例えば、パチンコ遊技機においては、遊技盤を着脱可能な前面枠の前面の一側に前面カバー部材（ガラス枠）を開閉可能な状態で軸着し、前面カバー部材には大きな開口部を開設するとともに該開口部を透明部材（ガラス板）で塞いで、遊技盤上に形成された遊技領域を開口部から前方へ臨ませている。また、前面カバー部材を閉状態でロック可能なロック機構を備え、不正行為者が前面カバー部材を不正に開放する等の不正行為を未然に防止できるように構成されている。そして、このロック機構をロック状態またはロック解除状態へ変換する変換機構部を前面カバー部材側に設ける旨が提案されている（例えば、特許文献１参照。）。
【先行技術文献】
【特許文献】
【０００３】
【特許文献１】特開２００６−１９２０２８号公報
【発明の概要】
【発明が解決しようとする課題】
【０００４】
ところで、上記特許文献に記載のロック機構においては、このロック機構をロック状態またはロック解除状態へ変換する変換機構部を前面カバー部材側に設けているので、不正部材が閉状態の前面カバー部材を正面から突き破ってパチンコ遊技機内に侵入してくると、この不正部材が変換機構部へ直ちに到達してしまう。これにより、不正行為者は前面カバー部材のロック状態を迅速に解除して不正行為を短時間で開始する虞があり、改善の余地を残している。
【０００５】
そこで、本発明は、上記の事情に鑑みてなされたものであり、その目的は、不正部材が前面カバー部材を正面から突き破ったとしても、不正部材を操作して直ちに前面カバー部材を開く不正行為を避けることができる遊技機を提供しようとするものである。
【課題を解決するための手段】
【０００６】
本発明は、上記目的を達成するために提案されたものであり、請求項１に記載のものは、遊技盤を着脱可能な前面枠と、該前面枠の前面の一側に開閉可能な状態で軸着され、遊技盤の前面を被覆する透明部材が保持された前面カバー部材と、該前面カバー部材を閉状態でロック可能なロック機構と、を備えた遊技機において、
前記ロック機構は、
前記前面カバー部材に固定された係止片と、
前記前面枠のうち遊技盤の下方の位置に揺動可能な状態で軸着され、前記係止片が係止可能な係止受部と、を備え、
該係止受部は、前記係止片との係止状態を維持可能なロック姿勢と、前記前面枠に配設された解除操作部の操作により係止片との係止状態を解除するロック解除姿勢とに変換可能であり、
前記解除操作部よりも前記前面枠の中央側に配設されるとともに、前記前面枠の前面側に設けた受部カバー部により前面を被覆され、
該受部カバー部の上壁部は、前面枠の前方へ向けて下り傾斜したことを特徴とする遊技機である。
また、請求項２に記載のものは、前記遊技盤へ向けて遊技球を発射可能な発射装置を、前記解除操作部の下方に備え、
前記解除操作部を解除操作ベースに装着し、該解除操作ベースには不正侵入阻止壁を設けたことを特徴とする請求項１に記載の遊技機である。
【発明の効果】
【０００７】
本発明によれば、以下のような優れた効果を奏する。
すなわち、遊技盤を着脱可能な前面枠と、該前面枠の前面の一側に開閉可能な状態で軸着され、遊技盤の前面を被覆する透明部材が保持された前面カバー部材と、該前面カバー部材を閉状態でロック可能なロック機構と、を備えた遊技機において、前面カバー部材に固定された係止片と、前面枠のうち遊技盤の下方の位置に揺動可能な状態で軸着され、前記係止片が係止可能な係止受部と、を備え、係止受部は、係止片との係止状態を維持可能なロック姿勢と、前記前面枠に配設された解除操作部の操作により係止片との係止状態を解除するロック解除姿勢とに変換可能であり、前記解除操作部よりも前記前面枠の中央側に配設されるとともに、前記前面枠の前面側に設けた受部カバー部により前面を被覆され、該受部カバー部の上壁部を前面枠の前方へ向けて下り傾斜させたので、不正部材が前面カバー部材を正面から突き破って遊技機内に侵入してきたとしても、不正部材が係止受部へ直ちに到達する不都合を防ぐことができる。
【図面の簡単な説明】
【０００８】
【図１】パチンコ遊技機の斜視図である。
【図２】前面枠を開放した状態におけるパチンコ遊技機の斜視図である。
【図３】透明部材保持枠を開放した状態におけるパチンコ遊技機の斜視図である。
【図４】押圧操作部の説明図である。
【図５】ロックユニットの説明図である。
【図６】係止受部を露出した状態の分解図である。
【図７】係止受部の説明図であり、（ａ）は受部カバーで被覆した状態図、（ｂ）は受部カバーを外した状態図である。
【図８】受部カバーの後方から見た斜視図である。
【図９】受部カバーおよび係止受部を含む前面枠本体の断面図である。
【図１０】前面枠を開放したパチンコ遊技機の下部の部分拡大図である。
【図１１】不正侵入阻止溝および不正侵入阻止壁の説明図であり、（ａ）は不正侵入阻止溝を装飾パネルに設けた実施形態の説明図、（ｂ）は不正侵入阻止溝を装飾支持部に設けた実施形態の説明図である。
【発明を実施するための形態】
【０００９】
以下、代表的な遊技機であるパチンコ遊技機を例に挙げて本発明の実施の形態を図面に基づき説明する。
パチンコ遊技機１は、図１から図３に示すように、前面が開放された矩形状の機枠（外枠）２の一側（図１中、左側）に前面枠（内枠）３を開閉可能な状態で軸着して、機枠２の前面開放口２ａ（図２参照）を前面枠３で閉成可能とし、前面枠３のベースとなる前面枠本体４の表面側には、円形状の遊技領域５が区画形成された遊技盤６を着脱可能としている。また、前面枠本体４の前面の一側（図１中、左側）には透明部材保持枠９（本発明における前面カバー部材に相当）を開閉可能な状態で軸着し、該透明部材保持枠９には透視可能な透明部材１０を保持し、透明部材保持枠９の下部（言い換えると、透明部材１０の下方）には、遊技球を貯留可能な上皿ユニット１１（本発明における球貯留皿に相当）を備えている。そして、透明部材保持枠９を閉じて前面枠本体４の表側に透明部材保持枠９を重合すると、遊技盤６の前面が透明部材保持枠９により被覆されるとともに、透明部材１０が遊技領域５の前方に配置され、透明部材１０を通して遊技領域５を前方から視認できるように構成されている。また、前面枠本体４のうち透明部材保持枠９の下方には下皿ユニット１２を備え、該下皿ユニット１２の左側にスピーカー１４を備え、下皿ユニット１２の右側には、発射装置１５（図３参照）を操作するための発射操作ユニット（発射操作ハンドル）１６を備えている。なお、透明部材保持枠９の表面のうち透明部材１０の外方に位置する箇所には複数の装飾ランプ１８を配置し、上皿ユニット１１の上部には、遊技者が遊技中に操作可能な遊技演出用ボタン１９を備えている。
【００１０】
前面枠本体４は、大きな矩形状の開口を上寄りに開設した合成樹脂製枠体であり、額縁状の遊技盤収納フレーム２０を備え、該遊技盤収納フレーム２０内に遊技盤６を着脱可能な状態で収納している。また、遊技盤収納フレーム２０の下方にはフレームボード部２１を備え、該フレームボード部２１の上端には遊技盤載置部２２を設け、該遊技盤載置部２２に遊技盤６の下端を載置している。さらに、フレームボード部２１の前面には、遊技球を遊技領域５へ向けて発射する発射装置１５を備え、該発射装置１５の側方（図３中、左側方）、言い換えると発射装置１５よりも透明部材保持枠９の開閉中心軸Ｃ寄りの位置には、ファール流路形成パネル２５を止着してファール流路２６を区画形成し、該ファール流路２６の上流開口（入口）２６ａを発射装置１５と遊技盤６の一側寄りの下縁部（図３中、左側下縁部）との間に臨ませてファール球（発射装置１５から発射されたが遊技領域５に到達せずに逆流してきた遊技球）をファール流路２６へ回収可能とし、ファール流路２６の下流端（出口）を下皿ユニット１２へ連通して、ファール球をファール流路２６へ通して下皿ユニット１２に導出できるように構成されている。
【００１１】
また、前面枠本体４の裏側の一側、具体的には透明部材保持枠９の開閉中心軸Ｃ寄り（図３中、左寄り）の位置には、遊技球を排出可能な球排出機構２８を備え、フレームボード部２１のうちファール流路２６の上流開口２６ａと透明部材保持枠９の開閉中心軸Ｃとの間には、球排出流路２９の下流開口（下流端）２９ａを前面枠本体４の前方へ向けて開放している。さらに、球排出機構２８と球排出流路２９の上流端とを連通し、遊技球を球排出機構２８から球排出流路２９へ排出できるように構成されている。そして、透明部材保持枠９には球導入樋３１を上皿ユニット１１の裏側から前面枠３側へ向けて突出し、該球導入樋３１の下流開口を上皿ユニット１１内の球貯留部１１ａへ連通し（図１参照）、透明部材保持枠９を閉じると、球導入樋３１の上流開口が球排出流路２９の下流開口２９ａへ接続し、遊技球を球排出流路２９から球導入樋３１を通して上皿ユニット１１内へ導入可能としている。
【００１２】
さらに、図３に示すように、前面枠本体４の前面側の上縁部、言い換えると遊技盤収納フレーム２０の上縁部には、透明部材保持枠９の開閉状態を検出可能な保持枠開閉検出スイッチ３４を備え、該保持枠開閉検出スイッチ３４から検出片３４ａを前面枠本体４の前方（透明部材保持枠９側）へ向けて常時付勢している。また、図４に示すように、透明部材保持枠９の裏面のうち保持枠開閉検出スイッチ３４に対向し得る箇所（具体的には、透明部材保持枠９の裏面の上縁部）には、検出片３４ａを押圧可能な押圧操作部３５を備え、透明部材保持枠９を前面枠３に対して十分に閉じると、押圧操作部３５が検出片３４ａを押圧して保持枠開閉検出スイッチ３４をＯＮ状態へ変換し、透明部材保持枠９が閉じていることを検出するように構成されている。一方、透明部材保持枠９を前面枠３に対して開くと、押圧操作部３５が検出片３４ａから離れて保持枠開閉検出スイッチ３４をＯＦＦ状態へ変換し、透明部材保持枠９が開いていることを検出するように構成されている。さらに、押圧操作部３５を横長な板バネで構成し、押圧操作部３５の弾性を検出片３４ａの付勢部材（図示せず）の弾性よりも強く設定し、押圧操作部３５の一側部（図４中、左側部）を透明部材保持枠９に固定するとともに、他側部（図４中、右側部）を透明部材保持枠９に開設された遊嵌口３６へ遊嵌して、押圧操作部３５を片持ち支持状態に設定し、押圧操作部３５を前後方向へ撓み可能としている。したがって、保持枠開閉検出スイッチ３４の取付位置の精度を粗く設定したとしても、透明部材保持枠９の閉状態時に押圧操作部３５が検出片３４ａを押し切った上に保持枠開閉検出スイッチ３４を強く押し過ぎてしまう不都合、ひいては保持枠開閉検出スイッチ３４が損傷してしまう不都合を避けることができる。
【００１３】
そして、パチンコ遊技機１は、透明部材保持枠９を閉状態でロック可能なロック機構（自由端側ロック部４１および下側ロック部４２）を備えている。具体的に説明すると、自由端側ロック部４１は、透明部材保持枠９の開閉自由端部（透明部材１０を挟んで開閉中心軸Ｃとは反対側に位置する側端部）９ａを前面枠本体４へ係止するための機構である。また、図３および図５に示すように、縦長なロックユニット４４と、該ロックユニット４４の一部に係止可能な複数のロック受部４５とを備えて構成されており、ロックユニット４４を前面枠本体４のうち遊技盤６を挟んで透明部材保持枠９の軸着部（開閉中心軸Ｃ）とは反対側（図３中、右側）、言い換えると前面枠本体４のうち透明部材保持枠９の開閉自由端部９ａが重合する箇所へ装着し、ロック受部４５を透明部材保持枠９の開閉自由端部９ａの裏側（前面枠本体４のうちロックユニット４４に重合する部分）へ装着している。
【００１４】
ロックユニット４４は、図５に示すように、金属板を屈曲する等して成形された縦長なロックベース４７を備え、該ロックベース４７の前側には、返し部を上方へ向けた複数（本実施形態では３つ）の保持枠係止爪４８を上下方向へ移動可能な状態で前方へ向けて突設している。そして、保持枠係止爪４８をコイルばね等の係止付勢部材４９により常時上方へ付勢し、この状態で保持枠係止爪４８を透明部材保持枠９のロック受部４５へ係止して閉状態の透明部材保持枠９をロックするように構成されている。
【００１５】
また、ロックベース４７の下部には、ロックユニット４４による透明部材保持枠９のロック状態を解除するための解除操作部（シリンダ錠）５０を備え、該解除操作部５０を前面が発射操作ユニット１６の上方に常時露出した状態で配置し、透明部材保持枠９の開閉に拘らず鍵（図示せず）を係合可能となるように設定している。そして、該解除操作部５０に鍵を係合（挿入）して回動（詳しくは前面枠本体４の前方から見て反時計回りに回動）すると、係止付勢部材４９の付勢力に抗して保持枠係止爪４８を下方へ移動して自由端側ロック部４１のロック状態を解除、具体的には保持枠係止爪４８と透明部材保持枠９との係止状態を解除可能となる。また、解除操作部５０を回動した状態で鍵から手を離すと、係止付勢部材の付勢力により保持枠係止爪４８が上方へ移動するとともに鍵が回動（詳しくは前面枠本体４の前方から見て時計回りに回動）して元の位置へ戻り、自由端側ロック部４１がロック状態に戻るように構成されている。
【００１６】
なお、自由端側ロック部４１は、前面枠本体４と機枠２とをロックする機能をも備えている。具体的に説明すると、ロックユニット４４の後部には、前面枠本体４と機枠２とを係止するための枠係止爪５１（図２参照）を上下方向へ移動可能な状態で配置し、枠係止爪５１を機枠２へ係止して前面枠本体４を機枠２へロックするように構成されている。また、解除操作部５０に鍵を係合し、この状態で解除操作部５０を前面枠本体４の前方から見て時計回りに回動すると、枠係止爪５１を上方へ移動して前面枠本体４と機枠２とのロック状態を解除できるように構成されている。
【００１７】
下側ロック部４２は、透明部材保持枠９の下部（詳しくは上皿ユニット１１の後方に位置する部分）のうち開閉自由端部９ａ寄りの箇所を前面枠本体４へ係止するための機構である。また、図３，図６，図７に示すように、返し部を上方へ向けた爪状の係止片５４と、端部に係止片５４が係止可能な横長アーム状の係止受部５５とを備えて構成されており、係止片５４を透明部材保持枠９の下部のうち開閉自由端部９ａ寄りの裏面から前面枠３側へ向けて突出して固定し、係止受部５５を前面枠本体４のうち遊技盤６の下方の位置、具体的にはフレームボード部２１の前面のうち発射装置１５よりも開閉自由端部９ａ側の位置に配置している。さらに、係止受部５５のうち開閉中心軸Ｃ側に位置する端部（図６中、左端部）を係止受端部５５ａとして係止片５４の返し部を下方から係止可能とし、係止受部５５の横方向の中央部をフレームボード部２１へ揺動可能な状態で軸着して、係止受端部５５ａを上下方向へ移動できるように構成されている。具体的には、図７（ａ）に示すように、係止受部５５の軸着部５５ｂを中心に回動（揺動）して係止受端部５５ａを下方へ移動すると、係止受端部５５ａの下端が係止片５４の返し部の上端よりも下方に位置してロック姿勢へ変換し、係止受端部５５ａ（係止受部５５）と係止片５４との係止状態を維持可能となる。一方、図７（ｂ）に示すように、係止受部５５の軸着部５５ｂを中心に回動（揺動）して係止受端部５５ａを上方へ移動すると、係止受端部５５ａの下端が係止片５４の返し部の上端よりも上方に位置してロック解除姿勢へ変換し、係止受端部５５ａ（係止受部５５）と係止片５４との係止状態を解除する。
【００１８】
また、係止受部５５のうち軸着部５５ｂと係止受端部５５ａとの間には、コイルばね等の係止受側付勢部材５７の一端（上端）を係止し、該係止受側付勢部材５７の他端をフレームボード部２１のうち係止受部５５よりも下方の位置に係止して、係止受側付勢部材５７の付勢力により係止受部５５を係止受端部５５ａが下がる方向（ロック姿勢を維持する方向）へ常時付勢している。そして、図７（ａ）および（ｂ）に示すように、係止受部５５のうち軸着部５５ｂを挟んで係止受端部５５ａとは反対側の端部（図７（ａ）中、右端部）を接続端部５５ｃとし、該接続端部５５ｃとロックユニット４４との間には縦長なリンクアーム５８を上下方向へスライド可能な状態で備え、該リンクアーム５８により係合受部とロックユニット４４とを接続して連動するように構成されている。詳しくは、前面枠本体４の下側に位置する保持枠係止爪４８の下端にリンクアーム５８の上端を当接し、リンクアーム５８の下端から係合ピン５９を突設し、係止受部５５の接続端部５５ｃに開設した係合開口６０に係合ピン５９を遊嵌している。
【００１９】
そして、解除操作部５０に鍵を係合して回動（詳しくは前面枠本体４の前方から見て反時計回りに回動）して保持枠係止爪４８を下方へ移動（すなわち自由端側ロック部４１のロック状態を解除）すると、保持枠係止爪４８によりリンクアーム５８および係止受部５５の接続端部５５ｃを押し下げて係止受部５５を回動し、係止受端部５５ａを係止受側付勢部材５７の付勢力に抗して上方へ移動して係止受部５５をロック解除姿勢へ変換する（図７（ｂ）参照）。また、解除操作部５０を回動した状態で鍵から手を離して自由端側ロック部４１をロック状態へ戻すと、係止付勢部材の付勢力により保持枠係止爪４８が上方へ移動して、リンクアーム５８の上昇および係止受部５５の回動を許容する。すると、係止受側付勢部材５７の付勢力により係止受部５５を回動して係止受端部５５ａを下降させ、係止受部５５をロック姿勢へ変換する。さらに、接続端部５５ｃを上昇させてリンクアーム５８を上方へ移動し、リンクアーム５８の上端を前面枠本体４の下側に位置する保持枠係止爪４８の下端へ当接して、保持枠係止爪４８がリンクアーム５８を押圧可能な状態に戻す（図７（ａ）参照）。
【００２０】
さらに、前面枠本体４のフレームボード部２１には受部カバー６３（受部カバー部）を装着して、係止受部５５を前面枠３の前方、言い換えると透明部材保持枠９側から被覆している。受部カバー６３は、図６〜図９に示すように、当該受部カバー６３の前面側に矩形状のカバー本体６４を備え、該カバー本体６４の上縁から横長な上壁部６５を後方へ向けて突設するとともに前方（前面枠本体４の前方）へ向けて下り傾斜した姿勢に設定している。また、カバー本体６４の下縁から横長な下壁部６６を後方へ向けて突設し、上壁部６５と下壁部６６との間隔を係止受部５５が受部カバー６３に干渉せずに収容可能な寸法に設定している。さらに、受部カバー６３のうち発射装置１５寄りの側部（図７（ａ）中、左側部）には係止受側開口６７を開設し、開閉自由端部９ａ寄りの側部（図７（ａ）中、右側部）には接続側開口６８を開設している。
【００２１】
そして、図７（ａ）および図９に示すように、フレームボード部２１に受部カバー６３を装着した状態においては、上壁部６５と下壁部６６との間に係止受部５５の軸着部５５ｂおよびその周辺部を収容してカバー本体６４により前方から被覆し、係止受側開口６７から係止受端部５５ａを側方へ突出して係止受端部５５ａと係止片５４との係止を許容し、接続側開口６８から接続端部５５ｃを側方へ突出して接続端部５５ｃとリンクアーム５８との接続を許容している。また、上壁部６５（受部カバー６３の上部）を係止受部５５と遊技盤６との間に配置して係止受部５５の上部を被覆し、下壁部６６（受部カバー６３の下部）を係止受部５５と前面枠本体４の下縁部との間に配置して係止受部５５の下部を被覆する。そして、透明部材保持枠９を閉じると、透明部材保持枠９と係止受部５５との間に受部カバー６３（詳しくは、カバー本体６４）を介在させる（図９参照）。したがって、透明部材保持枠９の開状態でピアノ線等の不正部材が透明部材保持枠９を正面から突き破ってパチンコ遊技機１内に侵入してきたとしても、不正部材が係止受部５５へ直ちに到達する不都合を受部カバー６３により阻止することができ、係止受部５５が操作されて透明部材保持枠９が不正に開放される不都合を避けることができる。また、先行技術文献として例示した上記特許文献（特開２００６−１９２０２８号公報）に記載のロック機構においては、前面カバー部材を開いた場合には、変換機構部が遊技盤の遊技領域に対して露出してしまい、メンテナンス作業時に遊技球が遊技領域から落下して変換機構部に衝突する虞、ひいてはロック機構を損傷する虞があるが、本願発明における実施形態では、透明部材保持枠９の開放時に遊技球が遊技盤６から落下してきたとしても、この遊技球が係止受部５５に衝突する不都合、さらには下側ロック部４２（ロック機構の一部）が損傷してしまう不都合を受部カバー６３により避けることができる。そして、落下してきた遊技球の衝突を阻止する構成要素と、不正部材による係止受部５５の不正操作、具体的にはロック解除姿勢に不正変換して透明部材保持枠９を不正に開放しようとする不正行為を阻止する構成要素とを別個に設ける必要がない。これにより、不正行為や損傷を防ぎ易いパチンコ遊技機１の内部構造を簡略化することができる。
【００２２】
また、図９に示すように、受部カバー６３の上壁部６５を前面枠本体４の前方へ向けて下り傾斜させているので、上方の遊技盤６から落下してきた遊技球が受部カバー６３上に載置されずに、前面枠本体４の前方へ迅速に落下させることができる。
【００２３】
さらに、パチンコ遊技機１は、図１０および図１１（ａ）に示すように、機枠２の下辺部と前面枠３の下縁部との間に、ピアノ線等の不正部材の侵入を阻止する構成を備えている。具体的に説明すると、機枠２の下辺部には、当該下辺部のベースとなる横長な下辺基部７１を備え、該下辺基部７１の上面の前縁部に横長な装飾支持部７２を下辺基部７１の延在方向に沿って備え、装飾支持部７２の上縁部を機枠２の前面開放口２ａの下開口縁に設定している。また、装飾支持部７２の前面および下辺基部７１の前面（言い換えると機枠２の下縁部）には装飾パネル（幕板）７４を装着し、該装飾パネル７４の上縁部には、前面開放口２ａの下開口縁に沿って不正侵入阻止溝７５を前面枠３側（機枠２の前方）へ開放した状態で延設している。そして、前面枠本体４（前面枠３）の下縁部には不正侵入阻止壁７６を不正侵入阻止溝７５に嵌合可能な厚さに設定して、機枠２側（前面枠３の後方）へ向けて突設している。このような構成をパチンコ遊技機１に備えて前面枠３を機枠２に対して閉成すると、不正侵入阻止溝７５に不正侵入阻止壁７６を嵌合するとともに、不正侵入阻止壁７６の先端を不正侵入阻止溝７５の溝底に当接して、前面枠３の下縁部と機枠２の前記下開口縁との間に不正部材を挿入不能となる。したがって、不正行為者がパチンコ遊技機１の下部、例えば、下皿ユニット１２の下方に手を隠しながらピアノ線等の不正部材を挿入しようとしても、この不正部材の侵入を阻止することができ、不正行為が行われることを未然に防ぐことができる。
【００２４】
なお、不正侵入阻止溝７５は、装飾パネル７４に設けられることに限定されない。例えば、図１１（ｂ）に示すように、装飾パネル７４よりも肉厚な装飾支持部７２、詳しくは装飾支持部７２の前面の上縁部に設ければ、不正侵入阻止溝７５に十分な強度を確保することができる。したがって、前面枠３の閉成時に不正侵入阻止溝７５が不正侵入阻止壁７６に衝突されて衝撃を受けたとしても、不正侵入阻止溝７５が損傷する虞がなくて好適である。
【００２５】
ところで、上記実施形態では、上皿ユニット１１が備えられた透明部材保持枠９を本発明における前面カバー部材として説明したが、本発明はこれに限定されない。要は、前面カバー部材が遊技盤６の前面を被覆する透明部材を保持していれば、どのような構成でもよく、例えば、上皿ユニットを備えていない透明部材保持枠であってもよい。
【００２６】
また、上記実施形態では、代表的な遊技機であるパチンコ遊技機を例にして説明したが、本発明はこれに限らず、遊技盤を着脱可能な前面枠と、該前面枠の前面の一側に開閉可能な状態で軸着され、遊技盤の前面を被覆する透明部材が保持された前面カバー部材と、該前面カバー部材を閉状態でロック可能なロック機構とを備えた遊技機であればどのような遊技機でもよい。例えば、封入球式パチンコ機、アレンジボール式遊技機、雀球式遊技機等の遊技機であってもよい。
【００２７】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【符号の説明】
【００２８】
１  パチンコ遊技機
２  機枠
２ａ  前面開放口
３  前面枠
４  前面枠本体
６  遊技盤
９  透明部材保持枠
９ａ  開閉自由端部
１０  透明部材
１１  上皿ユニット
１２  下皿ユニット
３４  保持枠開閉検出スイッチ
３４ａ  検出片
３５  押圧操作部
４１  自由端側ロック部
４２  下側ロック部
４４  ロックユニット
４５  ロック受部
４７  ロックベース
４８  保持枠係止爪
４９  係止付勢部材
５０  解除操作部
５１  枠係止爪
５４  係止片
５５  係止受部
５５ａ  係止受端部
５５ｂ  軸着部
５５ｃ  接続端部
５７  係止受側付勢部材
５８  リンクアーム
６３  受部カバー
６４  カバー本体
６５  上壁部
６６  下壁部
６７  係止受側開口
６８  接続側開口
７１  下辺基部
７２  装飾支持部
７４  装飾パネル
７５  不正侵入阻止溝
７６  不正侵入阻止壁
【図１】
0005572813.tif 000002
【図２】
0005572813.tif 000003
【図３】
0005572813.tif 000004
【図４】
0005572813.tif 000005
【図５】
0005572813.tif 000006
【図６】
0005572813.tif 000007
【図７】
0005572813.tif 000008
【図８】
0005572813.tif 000009
【図９】
0005572813.tif 000010
【図１０】
0005572813.tif 000011
【図１１】
0005572813.tif 000012